(57)【要約】  前面パネル、背面パネル、及び、開口部が設けられた側面パネルを有する筐体と、前記開口部を覆うように側面パネルに取り付けられる保護カバーと、を備え、前記側面パネルは、前記前面パネルと前記背面パネルとの間に位置するように設けられ、前記開口部は、前記側面パネルの下端の一部が該側面パネルの厚み方向に亘って切り欠かれたものであり、前記保護カバーには、前記側面パネルに取り付けられる面から前記側面パネル側に向かって突出する突出部が設けられ、前記突出部は、前記開口部の開口縁のうち前記筐体の前後方向に対向する開口縁間に設けられ、前記突出部の下面は、前記側面パネルの下面と同一平面又は前記側面パネルの下面よりも下方に位置している。
2017009897.tif 000002
【特許請求の範囲】
【請求項１】
前面パネル、背面パネル、及び、開口部が設けられた側面パネルを有する筐体と、
前記開口部を覆うように側面パネルに取り付けられる保護カバーと、を備え、
前記側面パネルは、前記前面パネルと前記背面パネルとの間に位置するように設けられ、
前記開口部は、前記側面パネルの下端の一部が該側面パネルの厚み方向に亘って切り欠かれたものであり、
前記保護カバーには、前記側面パネルに取り付けられる面から前記側面パネル側に向かって突出する突出部が設けられ、
前記突出部は、前記開口部の開口縁のうち前記筐体の前後方向に対向する開口縁間に設けられ、前記突出部の下面は、前記側面パネルの下面と同一平面又は前記側面パネルの下面よりも下方に位置している
空気調和機の室外機。
【請求項２】
前記突出部の突出長さは前記側面パネルの厚み以上である
請求項１に記載の空気調和機の室外機。
【請求項３】
前記開口縁間の距離と前記突出部の幅との差は２ｍｍ以上４ｍｍ以下である
請求項１又は請求項２に記載の空気調和機の室外機。
【請求項４】
前記筐体の内部には送風機室及び機械室が設けられ、
前記側面パネルは、
前記送風機室及び前記機械室のうち前記機械室側に設けられている
請求項１〜請求項３の何れか一項に記載の空気調和機の室外機。
【発明の詳細な説明】
【技術分野】
【０００１】
本発明は、空気調和機の室外機に関する。
【背景技術】
【０００２】
従来、筐体と、筐体の内部に設けられている接続バルブと、筐体の右側面パネルに取り付けられる保護カバーと、を備えた空気調和機の室外機があった（例えば、特許文献１）。特許文献１に記載の空気調和機の室外機においては、右側面パネルの下端の一部を切り欠いた開口部が設けられている。
【先行技術文献】
【特許文献】
【０００３】
【特許文献１】特開２０１０−１２７５３６号公報
【発明の概要】
【発明が解決しようとする課題】
【０００４】
しかしながら、特許文献１に記載の空気調和機の室外機においては、右側面パネルの下端の一部を切り欠いた開口部が設けられているため、室外機を運搬する者が筐体を把持する場合に、室外機を運搬する者の身体の一部が開口部の開口縁に接触する可能性があるという課題があった。【０００５】
本発明は、上述のような課題を背景としてなされたものであり、側面パネルの開口部の開口縁に接触する可能性を低減する空気調和機の室外機を提供することを目的とする。
【課題を解決するための手段】
【０００６】
本発明に係る空気調和機の室外機は、前面パネル、背面パネル、及び、開口部が設けられた側面パネルを有する筐体と、前記開口部を覆うように側面パネルに取り付けられる保護カバーと、を備え、前記側面パネルは、前記前面パネルと前記背面パネルとの間に位置するように設けられ、前記開口部は、前記側面パネルの下端の一部が該側面パネルの厚み方向に亘って切り欠かれたものであり、前記保護カバーには、前記側面パネルに取り付けられる面から前記側面パネル側に向かって突出する突出部が設けられ、前記突出部は、前記開口部の開口縁のうち前記筐体の前後方向に対向する開口縁間に設けられ、前記突出部の下面は、前記側面パネルの下面と同一平面又は前記側面パネルの下面よりも下方に位置しているものである。
【発明の効果】
【０００７】
本発明によれば、保護カバーに設けられる突出部が、開口部の開口縁のうち筐体の前後方向に対向する開口縁間に設けられ、突出部の下面は、側面パネルの下面と同一平面又は側面パネルの下面よりも下方に位置している。このため、室外機を運搬する者の身体の一部が、側面パネルの開口部の開口縁に接触する可能性を低減することができる。
【図面の簡単な説明】
【０００８】
【図１】本発明の実施の形態１に係る空気調和機の室外機１００の分解斜視図である。
【図２】本発明の実施の形態１に係る空気調和機の室外機１００の保護カバー７の外面を示す斜視図である。
【図３】本発明の実施の形態１に係る空気調和機の室外機１００の保護カバー７の内面を示す斜視図である。
【図４】本発明の実施の形態１に係る空気調和機の室外機１００の保護カバー７が右側面パネル１ａに取り付けられた状態における室外機１００の側面図である。
【図５】本発明の実施の形態１に係る空気調和機の室外機１００の保護カバー７が右側面パネル１ａに取り付けられた状態における室外機１００の正面図である。
【図６】図５の部分拡大図である。
【図７】本発明の実施の形態１に係る空気調和機の室外機１００の保護カバー７が右側面パネル１ａに取り付けられた状態における室外機１００の斜視図である。
【図８】本発明の実施の形態１に係る空気調和機の室外機１００の保護カバー７が右側面パネル１ａに取り付けられた状態における室外機１００の底面図である。
【図９】図８の部分拡大図である。
【図１０】本発明の実施の形態１に係る空気調和機の室外機１００の保護カバー７が右側面パネル１ａに取り付けられた状態における室外機１００の斜視図である。
【図１１】図１０の部分拡大図である。
【図１２】本発明の実施の形態１に係る空気調和機の室外機１００の変形例を示しており、保護カバー７の外観を示す図である。
【図１３】図１２の部分拡大図である。
【発明を実施するための形態】
【０００９】
以下、本発明の空気調和機の室外機１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は本発明の実施の形態１に係る空気調和機の室外機１００の分解斜視図である。図２は本発明の実施の形態１に係る空気調和機の室外機１００の保護カバー７の外面を示す斜視図である。図３は本発明の実施の形態１に係る空気調和機の室外機１００の保護カバー７の内面を示す斜視図である。
【００１１】
図１に示されるように、室外機１００は、外郭を構成する筐体１を備える。筐体１は、右側面パネル１ａと、左側面パネル（図示省略）と、前面パネル１ｃと、上面パネル１ｄと、底面パネル１ｅ（図４）と、背面パネル１ｆ（図４）と、接続バルブ５と、保護カバー７と、を有している。右側面パネル１ａは、前面パネル１ｃと背面パネル１ｆとの間に位置するように設けられている。右側面パネル１ａには開口部１ａ１及び係止孔１ａ２が設けられている。なお、右側面パネル１ａが、本発明における「側面パネル」に相当する。
【００１２】
開口部１ａ１は、右側面パネル１ａの下端の一部が右側面パネル１ａの厚み方向に亘って切り欠かれた形状となっている。係止孔１ａ２は係止爪７ａ２（後述する）と係止可能に設けられている開口部である。接続バルブ５は、筐体１の内部に設けられた状態で、右側面パネル１ａの下方に位置して外側に向かって突出するように設けられている。係止孔１ａ２は接続バルブ５の両側に一対設けられている開口部である。
【００１３】
なお、開口部１ａ１の開口面積は、接続バルブ５の形状に応じて決定するとよい。具体的には、室外機１００を組み立てる場合に、右側面パネル１ａと接続バルブ５とが接触しないように開口部１ａ１の開口面積を決定すればよい。
【００１４】
筐体１の内部には、送風機（図示省略）と、圧縮機（図示省略）と、仕切板（図示省略）と、が設けられている。仕切板は、筐体１の内部を少なくとも送風機室１０（図１０）と機械室２０（図１０）とに区画するように筐体１の内部に設けられる中空の部材である。送風機室１０には送風機等が設けられている。機械室２０には圧縮機等が設けられている。右側面パネル１ａは、送風機室１０側及び機械室２０側のうち機械室２０側に位置している。
【００１５】
図２，図３に示されるように、保護カバー７は突出部７ａ１、係止爪７ａ２、及び膨出部７ｂを有する部材であり、例えば樹脂製である。保護カバー７は、例えば、開口部１ａ１及び接続バルブ５を覆うように右側面パネル１ａに取り付けられる。
【００１６】
突出部７ａ１は、例えば、右側面パネル１ａに取り付けられる面の下端から右側面パネル１ａ側に対して突出するように設けられている。係止爪７ａ２は、保護カバー７を右側面パネル１ａに取り付けるための部材であり、保護カバー７の内面の左右端部から突出している。係止爪７ａ２は、係止孔１ａ２と係止可能に設けられている部材である。
【００１７】
膨出部７ｂは、例えば、右側面パネル１ａから接続バルブ５が突出する突出量だけ膨出するような形状となっている。保護カバー７が右側面パネル１ａに取り付けられると、接続バルブ５は、膨出部７ｂを設けることで保護カバー７の内部に形成された空間内に位置する。
【００１８】
図１に示されるような状態で、係止爪７ａ２と係止孔１ａ２とが係合するように保護カバー７が右側面パネル１ａに取り付けられると、図４，図５に示されるような状態となる。
【００１９】
図４は本発明の実施の形態１に係る空気調和機の室外機１００の保護カバー７が右側面パネル１ａに取り付けられた状態における室外機１００の側面図である。図５は本発明の実施の形態１に係る空気調和機の室外機１００の保護カバー７が右側面パネル１ａに取り付けられた状態における室外機１００の正面図である。図６は図５の部分拡大図である。
【００２０】
図４，図５に示されるように、開口部１ａ１及び接続バルブ５を覆うように保護カバー７は右側面パネル１ａに取り付けられている。突出部７ａ１は、例えば、保護カバー７の下面から右側面パネル１ａ側に向かって水平方向に延びるような形状となっていてもよいし、図６に示されるように、右側面パネル１ａ側に向かって水平方向よりも下方を向くようにして延びるような形状となっていてもよい。
【００２１】
図７は本発明の実施の形態１に係る空気調和機の室外機１００の保護カバー７が右側面パネル１ａに取り付けられた状態における室外機１００の斜視図である。図８は本発明の実施の形態１に係る空気調和機の室外機１００の保護カバー７が右側面パネル１ａに取り付けられた状態における室外機１００の底面図である。図９は図８の部分拡大図である。
【００２２】
図９に示されるように、突出部７ａ１が開口部１ａ１に設けられるように保護カバー７が右側面パネル１ａに取り付けられている。図９に示されるように、開口部１ａ１が設けられることで４つの角部１ａ３〜１ａ６が設けられている。角部１ａ３及び角部１ａ４は、開口部１ａ１の開口縁のうち右側面パネル１ａの外面側に位置する角部である。角部１ａ５及び角部１ａ６は、開口部１ａ１の開口縁のうち右側面パネル１ａの内面側に位置する角部である。
【００２３】
突出部７ａ１の幅は、開口部１ａ１の開口縁のうち筐体１の前後方向に対向する開口縁間の距離以下となっている。これにより、保護カバー７が右側面パネル１ａに取り付けられると、突出部７ａ１は筐体１の前後方向に対向する開口縁間に位置して開口部１ａ１に収まる。筐体１の前後方向に対向する開口縁間の距離と突出部７ａ１の幅との差は、例えば、２ｍｍ以上４ｍｍ以下となっている。突出部７ａ１の下面は、例えば、右側面パネル１ａの下面と同一平面に位置している。これにより、突出部７ａ１が開口部１ａ１に位置するように保護カバー７が右側面パネル１ａに取り付けられることで、室外機１００を運搬する者の身体の一部が角部１ａ３及び角部１ａ４に触れる可能性を低減できる。
【００２４】
また、突出部７ａ１の突出長さは、例えば、右側面パネル１ａの厚み以上になるように構成されている。これにより、突出部７ａ１が開口部１ａ１に位置するように保護カバー７が右側面パネル１ａに取り付けられた状態で、室外機１００を運搬する者の身体の一部が角部１ａ３及び角部１ａ４だけでなく角部１ａ５及び角部１ａ６に触れる可能性を低減できる。
【００２５】
なお、以上の説明においては、突出部７ａ１の下面が、右側面パネル１ａの下面と同一平面に位置するようになっている例について説明したが、これに限定されない。突出部７ａ１の下面は、右側面パネル１ａの下面よりも下方に位置するようになっていてもよい。このように構成しても、室外機１００を運搬する者の身体の一部が角部１ａ３及び角部１ａ４に触れる可能性を低減できる。また、筐体１の前後方向に対向する開口縁間の距離と突出部７ａ１の幅との差の具体的な数値は上述の数値に限定されるものではない。
【００２６】
図１０は本発明の実施の形態１に係る空気調和機の室外機１００の保護カバー７が右側面パネル１ａに取り付けられた状態における室外機１００の斜視図である。図１１は図１０の部分拡大図である。図１１に示されるように、突出部７ａ１は、開口部１ａ１の開口縁のうち筐体１の前後方向に対向する開口縁間に設けられている。
【００２７】
図１２は本発明の実施の形態１に係る空気調和機の室外機１００の変形例を示しており、保護カバー７の外観を示す図である。図１３は図１２の部分拡大図である。以上の説明においては、例えば、保護カバー７が、保護カバー７の下面から右側面パネル１ａ側に向かって水平方向に延びる突出部７ａ１を有する例について説明したが、図１２，図１３に示されるように保護カバー７を構成してもよい。
【００２８】
図１２，図１３に示されるように、保護カバー７の下面から下方に突出する垂直部７Ａが設けられている。垂直部７Ａの下端には突出部７ａ１が設けられている。突出部７ａ１は、例えば、右側面パネル１ａ側に向かって水平方向よりも下方を向くようにして延びるような形状となっている。このように保護カバー７を構成することで、保護カバー７が右側面パネル１ａに取り付けられた状態において、室外機１００を運搬する者の身体の一部が角部１ａ３，１ａ４に接触する可能性を低減することができる。
【００２９】
以上のように、本実施の形態１に係る空気調和機の室外機１００は、前面パネル１ｃ、背面パネル１ｆ、及び、開口部１ａ１が設けられた右側面パネル１ａを有する筐体１と、開口部１ａ１を覆うように右側面パネル１ａに取り付けられる保護カバー７と、を備え、右側面パネル１ａは、前面パネル１ｃと背面パネル１ｆとの間に位置するように設けられ、開口部１ａ１は、右側面パネル１ａの下端の一部が厚み方向に亘って切り欠かれたものであり、保護カバー７には、右側面パネル１ａに取り付けられる面から右側面パネル１ａ側に向かって突出する突出部７ａ１が設けられ、突出部７ａ１は、開口部１ａ１の開口縁のうち筐体１の前後方向に対向する開口縁間に設けられ、突出部７ａ１の下面は、右側面パネル１ａの下面と同一平面又は右側面パネル１ａの下面よりも下方に位置している。このため、室外機１００を運搬する者の身体の一部が角部１ａ３，１ａ４に接触する可能性を低減することができる。
【００３０】
また、突出部７ａ１の突出長さは、例えば、右側面パネル１ａの厚み以上になるように構成されている。これにより、室外機１００を運搬する者の身体の一部が角部１ａ３及び角部１ａ４だけでなく角部１ａ５及び角部１ａ６に触れる可能性を低減できる。
【符号の説明】
【００３１】
１  筐体、１ａ  右側面パネル、１ａ１  開口部、１ａ２  係止孔、１ａ３〜１ａ６  角部、１ｃ  前面パネル、１ｄ  上面パネル、１ｅ  底面パネル、１ｆ  背面パネル、５  接続バルブ、７  保護カバー、７Ａ  垂直部、７ａ１  突出部、７ａ２  係止爪、７ｂ  膨出部、１０  送風機室、２０  機械室、１００  室外機。
【図１】
2017009897.tif 000003
【図２】
2017009897.tif 000004
【図３】
2017009897.tif 000005
【図４】
2017009897.tif 000006
【図５】
2017009897.tif 000007
【図６】
2017009897.tif 000008
【図７】
2017009897.tif 000009
【図８】
2017009897.tif 000010
【図９】
2017009897.tif 000011
【図１０】
2017009897.tif 000012
【図１１】
2017009897.tif 000013
【図１２】
2017009897.tif 000014
【図１３】
2017009897.tif 000015
【手続補正書】
【提出日】平成29年9月29日(2017.9.29)
【手続補正１】
【補正対象書類名】明細書
【補正対象項目名】０００６
【補正方法】変更
【補正の内容】
【０００６】
本発明に係る空気調和機の室外機は、開口部が設けられた側面パネルを有する筐体と、前記開口部から外側に突出している接続バルブと、前記開口部を覆うように側面パネルに取り付けられる保護カバーと、を備え、前記開口部は、前記側面パネルの下端の一部が該側面パネルの厚み方向に亘って切り欠かれたものであり、前記保護カバーには、前記側面パネルに取り付けられる面から前記側面パネル側に向かって突出する突出部が設けられ、前記突出部は、前記開口部に収まり、前記突出部の下面は、前記側面パネルの下面と同一平面又は前記側面パネルの下面よりも下方に位置しているものである。
【手続補正２】
【補正対象書類名】明細書
【補正対象項目名】００１２
【補正方法】変更
【補正の内容】
【００１２】
開口部１ａ１は、右側面パネル１ａの下端の一部が右側面パネル１ａの厚み方向に亘って切り欠かれた形状となっている。係止孔１ａ２は係止爪７ａ２（後述する）と係止可能に設けられている。接続バルブ５は、筐体１の内部に設けられた状態で、右側面パネル１ａの下方に位置して開口部１ａ１から外側に向かって突出するように設けられている。係止孔１ａ２は接続バルブ５の両側に一対設けられている。
【手続補正３】
【補正対象書類名】明細書
【補正対象項目名】００２３
【補正方法】変更
【補正の内容】
【００２３】
突出部７ａ１の幅は、開口部１ａ１の開口縁のうち筐体１の前後方向に対向する開口縁間の距離未満となっている。これにより、保護カバー７が右側面パネル１ａに取り付けられると、突出部７ａ１は筐体１の前後方向に対向する開口縁間に位置して開口部１ａ１に収まる。筐体１の前後方向に対向する開口縁間の距離と突出部７ａ１の幅との差は、例えば、２ｍｍ以上４ｍｍ以下となっている。突出部７ａ１の下面は、例えば、右側面パネル１ａの下面と同一平面に位置している。これにより、突出部７ａ１が開口部１ａ１に位置するように保護カバー７が右側面パネル１ａに取り付けられることで、室外機１００を運搬する者の身体の一部が角部１ａ３及び角部１ａ４に触れる可能性を低減できる。
【手続補正４】
【補正対象書類名】特許請求の範囲
【補正対象項目名】全文
【補正方法】変更
【補正の内容】
【特許請求の範囲】
【請求項１】
開口部が設けられた側面パネルを有する筐体と、
前記開口部から外側に突出している接続バルブと、
前記開口部を覆うように側面パネルに取り付けられる保護カバーと、を備え、
前記開口部は、前記側面パネルの下端の一部が該側面パネルの厚み方向に亘って切り欠かれたものであり、
前記保護カバーには、前記側面パネルに取り付けられる面から前記側面パネル側に向かって突出する突出部が設けられ、
前記突出部は、
前記開口部に収まり、
前記突出部の下面は、
前記側面パネルの下面と同一平面又は前記側面パネルの下面よりも下方に位置している
空気調和機の室外機。
【請求項２】
前記突出部の幅は、
前記開口部の開口縁のうち前記筐体の前後方向において互いに対向する前記開口縁の異なる一部分同士の間の距離未満である、請求項１に記載の空気調和機の室外機。
【請求項３】
前記突出部の突出長さは前記側面パネルの厚み以上である
請求項１又は請求項２に記載の空気調和機の室外機。
【請求項４】
前記開口縁間の距離と前記突出部の幅との差は２ｍｍ以上４ｍｍ以下である
請求項１〜請求項３の何れか１項に記載の空気調和機の室外機。
【請求項５】
前記筐体の内部には送風機室及び機械室が設けられ、
前記側面パネルは、
前記送風機室及び前記機械室のうち前記機械室側に設けられている
請求項１〜請求項４の何れか一項に記載の空気調和機の室外機。
【国際調査報告】
2017009897.tif 000016
2017009897.tif 000017